【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
光線を生成するための複数の独立制御可能な固体線源（１０４）、好ましくは複数のＬＥＤダイと、
複数の光導波路、好ましくは複数の光ファイバ（１２２）と、
複数の非屈折光学素子（１２０）と、を具備し、
前記複数の光導波路のそれぞれが第１の端部および第２の端部を具備し、各第１の端部が前記複数の固体線源の対応する固体線源と光通信し、
前記複数の光学素子の各光学素子が、対応する第１の端部と前記対応する固体線源との間に挟まれ、各非屈折光学素子が、対応する固体線源によって発せられる集光を対応する光導波路に反射するような形状である照明装置。
【請求項２】
光線を生成するための複数の独立制御可能なＬＥＤダイと、
前記複数のＬＥＤダイのための電気接続を提供するための相互接続回路層（１４２）と、
複数の光導波路（１２２）と、
光学素子（１２０）のアレイと、を具備し、
前記相互接続回路層は熱伝導性でかつ電気絶縁性の基板上に配されており、
前記複数の光導波路のそれぞれが第１の端部および第２の端部を具備し、各第１の端部が前記複数のＬＥＤダイの対応するＬＥＤダイと光通信し、
光学素子の前記アレイの各光学素子が、前記光導波路の対応する第１の端部と前記対応するＬＥＤダイとの間に挟まれる照明装置。
【請求項３】
前記光学素子が、多層光学フィルムに形成される反射体のアレイまたは開放キャビティ金属化反射体のアレイを具備する請求項１又は２に記載の照明装置。
【手続補正２】
【補正対象書類名】明細書
【補正対象項目名】００９８
【補正方法】変更
【補正の内容】
【００９８】
反射体アレイの上に燐光体被覆シートを配置することは、（光ファイバの制限された受光角のために）ファイバアレイへの光エネルギの最も効率的な結合を生じるわけではないが、そのような構造はこの場合も先と同様にＬＥＤの密集による局所的なホットスポットを生じることなく、大きな面で広く発散するアレイの場合には好都合であると思われる。
実施形態
１．光学放射線を生成するための複数の固体放射線源（１０４）、好ましくは複数のＬＥＤダイと、
前記複数の固体放射線源のための電気接続を提供するための相互接続回路層（１４２）と、
複数の光導波路（１２２）、好ましくは複数の光ファイバと、
光学素子（１２０）のアレイと、を具備し、
前記複数の光導波路のそれぞれが第１の端部および第２の端部を具備し、各第１の端部が前記複数の固体放射線源の対応する固体放射線源と光通信し、
光学素子の前記アレイの各光学素子が、前記光導波路の対応する第１の端部と前記対応する固体放射線源との間に挟まれる照明装置。
２．光学放射線を生成するための複数の固体放射線源（１０４）、好ましくは複数のＬＥＤダイと、
複数の光導波路、好ましくは複数の光ファイバ（１２２）と、
複数の非屈折光学素子（１２０）と、を具備し、
前記複数の光導波路のそれぞれが第１の端部および第２の端部を具備し、各第１の端部が前記複数の固体放射線源の対応する固体放射線源と光通信し、
前記複数の光学素子の各光学素子が、対応する第１の端部と前記対応する固体放射線源との間に挟まれ、各非屈折光学素子が、対応する固体放射線源によって発せられる集光を対応する光導波路に反射するような形状である照明装置。
３．基板（４４０）と、
放射線を生成するための固体放射線源（４０４）のアレイ、好ましくはＬＥＤダイのアレイであって、前記基板に熱結合されるアレイと、
固体放射線源の前記アレイに関する電気接続を提供するためのパターン形成される相互接続回路層（４４１）であって、前記パターン形成が前記アレイに対応する相互接続回路層（４４１）と、
前記相互接続層を前記基板に結合させるための第１のパターン形成される接着剤層（４０５）であって、前記パターン形成が前記アレイに対応する接着剤層（４０５）と、
固体放射線源の前記アレイから出る放射線を集光するために、シート（４１１）に形成される反射光学素子（４１０）のアレイと、
前記シートを前記相互接続層に結合させるための第２のパターン形成される接着剤層（４４５）と、を具備する照明装置。
４．前記複数の光ファイバが、複数のポリマークラッドシリカファイバを具備し、それぞれが約４００μｍ〜約１０００μｍのコア直径を有する形態１または２に記載の照明装置。
５．前記複数の光ファイバの前記第２の端部が、単一の群に束ねられて単一の光照明源を形成するかまたは個別の群に束ねられて個別の光照明源を形成する形態１、２または４に記載の照明装置。
６．光学素子の前記アレイが、光学集光素子のアレイを具備する形態１〜５のいずれか１項に記載の照明装置。
７．前記光ファイバの前記第２の端部から発する光学放射線を受光して集束するために、前記複数の光ファイバが、複数の光学集束素子、好ましくはファイバレンズをさらに具備する形態１、２、４、５または６のいずれか１項に記載の照明装置。
８．前記光学素子が、多層光学フィルムに形成される反射体のアレイまたは開放キャビティ金属化反射体のアレイを具備する形態１〜７のいずれか１項に記載の照明装置。
９．反射体の前記アレイが、前記複数のＬＥＤダイのそれぞれの範囲を実質的に維持するように、前記ＬＥＤダイに対して配置される形態８に記載の照明装置。
１０．少なくとも１つのＬＥＤダイの面が、燐光体層、好ましくは燐光体入りのエポキシによって被覆され、さらに好ましくは、各ＬＥＤダイの他の波長の出力に少なくとも部分的に変換し、各ＬＥＤダイの範囲を実質的に維持するほど十分な量である形態１〜９のいずれか１項に記載の照明装置。
１１．各ＬＥＤダイが幅を有し、各ＬＥＤダイがすべての隣接するＬＥＤダイからその幅より大きい距離で前記相互接続回路層上に配置される形態１〜１０のいずれか１項に記載の照明装置。
１２．各ＬＥＤダイが、前記相互接続回路層上に面実装されるか、または前記相互接続回路層の凹んだ開口部に配置される形態１または３に記載の照明装置。
１３．燐光体層が、光学集光素子の前記アレイの上面および下面の一方に積層される形態６に記載の照明装置。
１４．形態１〜３のいずれか１項に記載の照明装置を具備する車両用ヘッドライト。
１５．光学素子の前記アレイが反射体のアレイを具備し、前記アレイの各反射体が入射開口部および出射開口部を有し、各ＬＥＤダイの発光面が前記入射開口部の下で離隔される形態１〜１３のいずれか１項に記載の照明装置。
１６．第２の複数のＬＥＤダイと、
それぞれが第１の端部および第２の端部を有し、各第１の端部が前記第２の複数のＬＥＤダイのＬＥＤダイと光通信する第２の複数の光ファイバと、をさらに具備し、
光学素子の前記アレイが、前記第１の複数の光ファイバおよび第２の複数の光ファイバの対応する第１の端部と前記対応するＬＥＤダイとの間に挟まれる形態１、２、４または５に記載の照明装置。
１７．照明時に、前記第２の複数の光ファイバの前記第２の端部が、前記第１の複数の光ファイバの前記第２の端部と共に束ねられて単一の光照明源を形成する形態１６に記載の照明装置。
１８．前記第１の複数のＬＥＤダイおよび第２の複数のＬＥＤダイが、異なる発光スペクトルを有する形態１６に記載の照明装置。
１９．前記第１の複数の導波路および第２の複数の導波路が第１の複数の光ファイバおよび第２の複数の光ファイバを具備し、前記第１の複数の光ファイバの前記第２の端部が第１の束に束ねられ、前記第２の複数の光ファイバの前記第２の端部が第２の束に束ねられ、前記第１の束からの出力発光の第１の方向が、前記第２の束からの出力発光の第２の方向と異なる形態１６に記載の照明装置。
２０．第３の複数のＬＥＤダイと、
それぞれが第１の端部および第２の端部を有し、各第１の端部が前記第３の複数のＬＥＤダイのＬＥＤダイと光通信する第３の複数の光ファイバと、をさらに具備する形態１６に記載の照明装置。
２１．前記第１の複数のＬＥＤダイが赤色光を発し、前記第２の複数のＬＥＤダイが青色光を発し、前記第３の複数のＬＥＤダイが緑色光を発する形態２０に記載の照明装置。
２２．ＬＥＤダイの前記アレイからの出力発光が、選択された色温度で光を生成する形態１、２または３に記載の照明装置。